(57)【特許請求の範囲】
【請求項１】
電動ベーンポンプであって、
平面状の第１ポンプ面を有した第１シェルと、
該第１シェルに連結されている第２シェルであって、前記第１ポンプ面とは離間状態で該第１ポンプ面に対して平行に延びる平面状の第２ポンプ面を有した第２シェルと、
中央ベーン支持部と、
ロータと、
該ロータと共に回転するように固定された放射状に可動である複数のベーンであって、それぞれのベーンは前記第１ポンプ面と前記第２ポンプ面との間に配置され、前記中央ベーン支持部とスライド式に係合する１端を有した複数のベーンと、
前記第１シェルと前記第２シェルのそれぞれに係合する離間した複数の肩部を含み、前記第１ポンプ面と前記第２ポンプ面との間に所定の間隔を形成しているシャフトと、
前記第１シェルと前記第２シェルとの間に配置された電気モータステータと、
該電気モータステータの一部に含まれ、巻線で包囲された複数のプレートと、
前記ロータと共に回転するように固定され、前記電気モータステータに隣接して配置された複数の永久磁石と、
を含んで成り、
前記各永久磁石を、互いに接近して配置するとともに、前記第１シェル、第２シェル、及び前記電気モータステータの内側円筒面とは離間させることにより、前記巻線に接近させたことを特徴とするポンプ。
【請求項２】
前記シャフトの第１端は第１シェルに固定されており、該シャフトの第２端は第２シェルに固定されており、ポンプ作動中に発生する作用力によって第１ポンプ面と第２ポンプ面との間の所定の間隔を増加しないように該作用力に抵抗することを特徴とする請求項１記載のポンプ。
【請求項３】
前記シャフトにネジ式に係合するように第１シェルに設けられた開口部を通過するネジ式ファスナをさらに含んでいることを特徴とする請求項２記載のポンプ。
【請求項４】
第１シェルと第２シェルの一方を通って延びている前記シャフトの一部に取り付けられた保持リングをさらに含んでいることを特徴とする請求項２記載のポンプ。
【請求項５】
前記ロータは第１シェルと第２シェルの一方に形成されたポケット内で回転式に支持されている膨出形状の円筒面を含んでいることを特徴とする請求項１記載のポンプ。
【請求項６】
前記電気モータステータに含まれている巻線は、ポンプ作業対象の流体と接触することを特徴とする請求項１記載のポンプ。
【請求項７】
第１シェルと第２シェルの一方は、ポンプ作業対象の流体と接触するように設計された外側方向に延出した翼部を含んでおり、ポンプと該流体との熱移動を増大させていることを特徴とする請求項１記載のポンプ。
【請求項８】
前記永久磁石と前記電気モータステータの通電部材との間の距離は０．５ｍｍから０．８ｍｍの範囲であることを特徴とする請求項１記載のモータ。
【請求項９】
それぞれのベーンを中央ベーン支持部と係合させるように付勢する弾性部材をさらに含んでいることを特徴とする請求項１記載のポンプ。
【請求項１０】
第１シェルと第２シェルのそれぞれの端面間に挟まれた中間リングをさらに含んでおり、該中間リングは、該第１シェルおよび該第２シェルのいずれよりも小さな熱膨張率を有していることを特徴とする請求項１記載のポンプ。
【請求項１１】
前記ロータは中央ベーン支持部が提供する縦軸に対して実質平行に延びる軸の周囲を回転することを特徴とする請求項１記載のポンプ。
【請求項１２】
前記シャフトと中央ベーン支持部は１体モノリス型部材として形成されていることを特徴とする請求項１記載のポンプ。
【請求項１３】
それぞれのベーンはポンプ作動時に中央ベーン支持部に形成された非円形表面と係合し、ベーンの放射方向移動を最小限に留めることを特徴とする請求項１記載のポンプ。
【請求項１４】
電動ベーンポンプであって、
平面状の第１ポンプ面を有した第１カバープレートと、
該第１カバープレートに連結されている第２カバープレートであって、前記第１ポンプ面とは離間状態で該第１ポンプ面に対して平行に延びる平面状の第２ポンプ面を有した第２カバープレートと、
中央ベーン支持部と、
ロータと、
前記第１カバープレート、前記第２カバープレート、及び前記ロータの外側面との間に配置される電気モータステータと、
前記ロータに固定された複数の永久磁石と、
前記電気モータステータの一部に含まれ、巻線で包囲された複数のプレートと、
該ロータと共に回転するように固定された放射状に可動である複数のベーンであって、それぞれのベーンは前記第１ポンプ面と前記第２ポンプ面との間に配置され、前記中央ベーン支持部とスライド式に係合する第１端を有した複数のベーンと、
前記ベーンのそれぞれを中央ベーン支持部との係合状態に付勢する弾性部材と、
を含んで成り、
前記各永久磁石を、互いに接近して配置するとともに、前記第１シェル、第２シェル、及び前記電気モータステータの内側円筒面とは離間させることにより、前記巻線に接近させたことを特徴とするポンプ。
【請求項１５】
第１カバープレートと第２カバープレートの一方は、本ポンプのアウトレットと前記ベーンを収容したチャンバとを連結する通路を含んでおり、該アウトレットからの加圧流体は該通路を通過し、それぞれのベーンを中央ベーン支持部の方向に付勢する作用力を発揮することを特徴とする請求項１４記載のポンプ。
【請求項１６】
第１カバープレートと第２カバープレートの一方に設けられた開口部を通ってネジ式に中央ベーン支持部と係合するように延びるネジ式ファスナをさらに含んでいることを特徴とする請求項１４記載のポンプ。
【請求項１７】
前記ロータは、第１カバープレートと第２カバープレートの一方に形成されたポケット内で回転式に支持された膨出形状の円筒面を含んでいることを特徴とする請求項１４記載のポンプ。
【請求項１８】
前記ロータは、第１カバープレートと第２カバープレートの一方に形成された膨出形状の円筒面によって回転式に支持された凹没形状の円筒面を含んでいることを特徴とする請求項１４記載のポンプ。
【請求項１９】
前記電気モータステータはポンプ作業対象の流体と接触する巻線を含んでいることを特徴とする請求項１４記載のポンプ。
【請求項２０】
第１カバープレートと第２カバープレートのそれぞれの間に挟まれた中間リングをさらに含んでおり、該中間リングは該第１カバープレートと該第２カバープレートのいずれよりも小さな熱膨張率を有していることを特徴とする請求項１４記載のポンプ。
【請求項２１】
前記ロータは両端面を含んでおり、それぞれの端面は前記弾性部材と別な弾性部材の一方を受領する溝部を含んでおり、それぞれのベーンを中央ベーン支持部とバイアス係合させて接触させることを特徴とする請求項１４記載のポンプ。
【請求項２２】
それぞれのベーンはポンプ作動時に中央ベーン支持部に形成された非円形表面と係合し、ベーンの放射方向移動を最小限に留めることを特徴とする請求項１４記載のポンプ。
【発明の詳細な説明】
【技術分野】
【０００１】
本発明は電気モータ駆動ポンプに関係する。特には沈浸可能な集積型電動ベーンオイルポンプに関する。
【０００２】
＜関連出願＞
本願は２００９年２月２６日出願の米国仮特許願６１／１５５６１９の優先権を主張する。当該仮特許願の内容を本願に援用する。
【背景技術】
【０００３】
この章では必ずしも従来技術ではない本発明に関係する背景情報を提供する。
【０００４】
電気モータとベーンポンプとを組み合わせた様々な電動ポンプが開示されている。例えば特許文献１は、別々に利用が可能であり、あるいは互いに組み合わせて利用が可能な電気モータとベーンポンプとを解説する。この設計概念は所望のポンプ機能を提供できるが機能の重複が存在し、流体（液体等）ポンプの製造コスト、サイズおよび重量に関して不利な影響を及ぼす。
【０００５】
さらに特許文献２は電気的に駆動するベーンポンプを解説する。この電気モータのロータとベーンポンプのロータとは一体化（集積化）されている。しかしながら開示されているポンプ構造は複数の収容体を含み、比較的に大きな容量を必要とする。
【先行技術文献】
【特許文献】
【０００６】
【特許文献１】米国特許第６４９９９６４号
【特許文献２】米国特許第４４０７６４１号
【発明の概要】
【発明が解決しようとする課題】
【０００７】
よって改良された集積型電動ベーンオイルポンプに対する需要が存在する。
【課題を解決するための手段】
【０００８】
電動ベーンポンプは平面的な第１ポンプ面を有した第１カバープレートと、第１カバープレートに連結され、第１ポンプ面とは離れて平行に延びる平面的な第２ポンプ面を有した第２カバープレートとを含んでいる。複数の永久磁石がロータに固定されている。放射状に可動である複数のベーン（翼板）がロータと共に回転するように固定されている。それぞれのベーンは第１ポンプ面と第２ポンプ面との間に配置されており、中央ベーン支持部とスライド式に係合する第１端を有している。電気モータステータは第１カバープレートと第２カバープレートとの間に位置しており、ロータに外接する。弾性部材がベーンのそれぞれを中央ベーン支持部と係合させるように付勢している。
【０００９】
別な構成では電動ベーンポンプは平面的な第１ポンプ面と第２ポンプ面とをそれぞれ有した第１シェル（殻体）と第２シェルとを含んでいる。第１ポンプ面と第２ポンプ面は離間状態で実質平行に延びている。電動ベーンポンプは中央ベーン支持部と、ロータと、ロータと共に回転するように固定されている放射状に可動な複数のベーンとをさらに含む。それぞれのベーンは第１ポンプ面と第２ポンプ面との間に配置され、中央ベーン支持部とスライド式に係合する端部を有している。離間状態で提供されている肩部を含んだシャフトは第１シェルと第２シェルのそれぞれに係合し、第１ポンプ面と第２ポンプ面との間に所定の間隙を提供する。電気モータステータが第１シェルと第２シェルとの間に配置されている。複数の永久磁石がロータと共に回転するように固定され、ステータに隣接する。
【００１０】
別な構成では電動ベーンポンプは実質平面的な第１ポンプ面と第２ポンプ面とをそれぞれ有した第１シェル（殻体）と第２シェルとを含んでいる。第１ポンプ面と第２ポンプ面は離間状態で実質平行に延びている。電動ベーンポンプは中央ベーン支持部と、ロータと、ロータと共に回転するように固定されている放射状に可動な複数のベーンとをさらに含む。それぞれのベーンは第１ポンプ面と第２ポンプ面との間に配置され、中央ベーン支持部とスライド式に係合する端部を有している。離間状態で提供されている肩部を含んだシャフトは第１シェルと第２シェルのそれぞれに係合し、第１ポンプ面と第２ポンプ面との間に所定の間隙を提供する。電気モータステータが第１シェルと第２シェルとの間に配置されている。複数の永久磁石がロータと共に回転するように固定され、ステータに隣接する。
【図面の簡単な説明】
【００１１】
【図１】本発明の教示に基づいて構築された電動ベーンポンプの斜視図である。
【図２】図１の電動ベーンポンプの断面斜視図である。
【図３】図１の電動ベーンポンプの断面図である。
【図４】別実施例による電動ベーンポンプの斜視図である。
【図５】図４の電動ベーンポンプの構造を示す別斜視図である。
【図６】図４の電動ベーンポンプの断面図である。
【図７】図４から図６で図示する電動ベーンポンプの断面斜視図である。
【図８】さらに別な実施例による電動ベーンポンプの斜視図である。
【図９】図８で図示する電動ベーンポンプの断面斜視図である。
【図１０】図８と図９で図示する電動ベーンポンプの構造を示す別斜視図である。
【図１１】別実施例による中央ベーン支持部面を解説する概略図である。
【図１２】別実施例による中央ベーン支持部面を解説する概略図である。
【図１３】国際公開公報の明細書の頁１０に記載された式（１）〜（６）を示す図
【発明を実施するための形態】
【００１２】
本発明のさらなる利用分野は以下の説明から明確となるであろう。この章の説明と実施例は本発明の説明のみを目的としており、本発明の範囲の限定は意図されていない。    この章で説明する図面は本発明の全ての可能な実施態様ではなく、ほんの一部の選択された実施例を説明する目的にて提供されており、本発明の範囲を限定するものではない。  図面を通じて同一参照番号は対応する部材を示す。  以下において添付の図面を利用して本発明の実施例をさらに詳細に説明する。
【００１３】
図１から図３は集積型電動ベーンポンプ１０を図示する。ポンプ１０は第１シェル１４と第２シェル１６とを有したハウジング１２を含む。第１シェル１４と第２シェル１６のそれぞれはアルミダイカスト鋳造物として形成できる。ステータ１８は第１シェル１４と第２シェル１６とに挟まれている。第１シェル１４、第２シェル１６およびステータ１８はポンプ１０の周辺に沿って互いに固定されている。この固定には、ネジ固定、クリンプ（かしめ）固定、クランプ（締付）固定、リベット固定、溶接固定、接着固定、等々の任意の固定方法が利用できる。
【００１４】
ポンプ１０はシャフト２０と、中央ベーン支持部２２と、ロータ構造部２４と、ポンプを形成するように協調作用する複数のベーン２６とを含む。シャフト２０は実質円筒状部材であり、長軸２８を備えている。ロータ構造部２４はそれぞれ第１シェル１４と第２シェル１６内に形成された凹部３０と３２内で回転するように支持されている。凹部３０は平面的な第１ポンプ面３４と、周囲を延びる壁部３６とによって少なくとも部分的に形成されている。同様に凹部３２は第２ポンプ面３８と、周囲を延びる壁部４０とによって形成されている。壁部３６と４０は、ロータ構造部２４の周囲にて互いに整合しており、ロータ構造部２４は回転軸４２に沿って回転する。
【００１５】
ロータ構造部２４は、放射状に延び、それぞれ放射状に移動可能なベーン２６を受領する複数のブラインドスロット４４を含んだロータ４３を含む。ブラインドスロット４４はロータ４３と共に回転するようにベーン２６を固定し、ロータ構造部２４の回転時にそれぞれのベーン２６を独立的に放射状に移動させるよう設計されている。それぞれのベーン２６はブラインドスロット４４の１つの内部に配置された第１端４６と、中央ベーン支持部２２の実質円筒状である外面５０と接触する反対側の第２端４８とを含む。
【００１６】
１対の弾性保持クリップ５２と５４はロータ４３の両側に形成された周囲溝５６と５８内に位置する。保持クリップ５２と５４のそれぞれは、第２端４８を外面５０と接触状態に保つようにベーン２６の第１端４６と係合するようサイズ化されたスプリットリングである。中央ベーン支持部２２とロータ構造部２４とが偏心構成であるため、ベーンポンプ１０はインレットポート６０を介して流体を低圧貯蔵部から導き出すように作用できる。一方、加圧液体はアウトレットポート６２を介してベーンポンプ１０から排出される。インレットポート６０は第２シェル１６を通って延びる。アウトレットポート６２も第２シェル１６を通って延びる。
【００１７】
第１ファスナ（締付具）６４は第１シェル１４に形成されたカウンタボア６５を通って延び、シャフト２０の第１端６６を第１シェル１４に固定する。縮小径部６８は第１端６６で形成され、シャフト２０を正確に配置するように第１シェル１４に形成された第１凹部７０と連通状態に置かれる。第１ファスナ６４はシャフト２０の第１肩部７２を第１シェル１４に形成されたオフセット面７４との接触状態に導く。
【００１８】
同様に第２ファスナ７６は第２シェル１６に形成されたカウンタボア７７を通って延び、シャフト２０の第２端７８を第２シェル１６に固定する。段階的に縮小する径部８０は第２シェル１６に形成された凹部８２内に正確に配置される。第２肩部８４は第２シェル１６に形成されたオフセット面８６に接して固定される。第１肩部７２と第２肩部８４との間の距離は正確に制御され、ロータ構造部２４と、第１シェル１４と、第２シェル１６との間にランニングクレアランスを提供する。さらに、流体の作用力がポンプ作動中に発生しても、ファスナ６４と７６は第１シェル１４と第２シェル１６とがロータ構造部２４から離れないようにする。従って適正なポンプ機能が維持される。
【００１９】
シャフト２０は第１シェル１４の端面９０と第２シェル１６の端面９２との間に間隙８８も形成する。複数の磁石９４がロータ４３と共に回転するように固定される。磁石９４はロータ４３周囲に交互磁極性を有するように間隙８８内に設置される。
【００２０】
ステータ１８は巻線９８で包囲された複数のプレート９６を含む。ステータ１８は外側円筒面１００と内側円筒面１０２とを含む。第１シェル１４はステータ１８の一部を受領するポケット１０４を含む。ポケット１０４は内側円筒壁１０６と、外側円筒壁１０８と、内側円筒壁１０６と外側円筒壁１０８とを連結する端壁１１０とで形成される。外側円筒壁１０８はステータ１８の外側円筒面１００に密着するようにサイズ化される。
【００２１】
ステータ１８と内側円筒壁１０６との間、並びに端壁１１０とステータ１８との間には間隙が存在する。相互間移動を自由にさせながら、これら間隙を充填してステータ１８を第１シェル１４に連結させるようにフレキシブルな封止コンパウンドまたは接着剤が使用できる。第２シェル１６は内側円筒壁１１４と、外側円筒壁１１６と、端壁１１８とで形成される類似ポケット１１２を含む。ステータ１８と第２シェル１６の様々な壁部間の関係は第１シェル１４に関して前述したものに類似する。
【００２２】
磁石９４は互いに接近して配置されているが、第１シェル１４と、第２シェル１６と、ステータ１８の内側円筒面１０２とは離間されている。ステータ１８の巻線９８は保護ケース内に配置する必要はなく、磁石９４に非常に接近して設置できることは重要な点である。磁石９４と巻線９８との間の間隙が減少すると電気モータの効率は増大することは重要なことである。モータ効率を最大化するために永久磁石９４とステータ１８の通電部との間の距離を約０．５ｍｍから約０．８ｍｍとしている。
【００２３】
さらにポンプ１０が完全に沈浸していると巻線９８はポンプ対象流体と接触状態に置かれる。この構成により、流体との接触によってステータ１８からの熱移動量が増加する。ポンプ１０は部分沈浸状態であっても非沈浸状態であっても運用が可能である。
【００２４】
ポンプ１０にはオプションで、アウトレットポート６２と、それぞれ第１シェル１４と第２シェル１６に形成された圧力チャンバ１２２および１２４とを連結している高圧通路１２０が提供されている。ポンプ作動時に加圧された流体（液体）はアウトレットポート６２から高圧通路１２０を通って圧力チャンバ１２２と１２４に流れ、ベーン２６の第１端４６に力を作用させる。加圧された流体はベーン２６の第２端４８を外面５０と接触させる。加圧された流体と保持クリップ５２および５４とによる作用力は流体圧力と、ベーン２６を放射状で外側に移動させるように作用する求心加速力とに対抗する。
【００２５】
運用時には電流が巻線９８に通電されて磁界を発生させる。それによって永久磁石９４が動かされ、ロータ４３を回転させる。ベーン２６が回転すると流体のポンプ作用（搬送作用）が起こる。ポンプ作用の継続によって第１ファスナ６４と第２ファスナ７６は第１シェル１４と第２シェル２６を互いから離れないようにし、第１ポンプ面３４と第２ポンプ面３８との間の距離を変更させない。さらに保持クリップ５２と５４はベーン２６と外面５０との間のバイアス係合を維持して、様々なポンプ速度において適切なポンプ機能を確実に提供する。
【００２６】
図４から図８は別実施例によるポンプ１３０を図示する。ポンプ１３０も集積型電動ベーンオイルポンプであり、ポンプ作業の対象である流体（液体）内に完全沈浸することができる。集積型電動ベーンオイルポンプ１３０は第１カバープレート１３４と、第２カバープレート１３６と、中間リング１３８とを含んだハウジング１３２を含む。第１カバープレート１３４と第２カバープレート１３６のそれぞれはアルミダイカスト鋳造物として形成できる。中間リング１３８は第１カバープレート１３４と第２カバープレート１３６との間に挟まれ、ハウジング１３２内のコンポーネントの熱膨張とは異なるであろうハウジング１３２自体の熱膨張との差を補う。
【００２７】
この目的を達成するため、好適には中間リング１３８はアルミニウムよりも実質的に小さな熱膨張率を有した材料で製造される。例えば中間リング１３８は粉末金属材料で製造できる。第１カバープレート１３４と、第２カバープレート１３６と、中間リング１３８は複数のファスナ１４０によってポンプ１３０の周囲に沿って互いに固定される。クリンプ固定、クランプ固定、リベット固定、溶接固定、接着剤固定、等々である任意の他の固定方法が利用できる。
【００２８】
ポンプ１３０は集積型でモノリスタイプのシャフト・中央ベーン支持部１４４と協調して作用するロータ構造部１４２を含む。ステータ１４６はロータ構造部１４２を包囲する。組み合わせられたシャフト・中央ベーン支持部１４４は軸方向で整合した第１トラニオン１５０と第２トラニオン１５２とを有した実質円筒状である本体１４８を含む。本体１４８と第１トラニオン１５０との間の交差部には第１シート（接触支持部）１５４が存在する。第２シート１５６は本体１４８と第２トラニオン１５２との間の交差部に形成される。
【００２９】
第１シート１５４および第２シート１５６は第１カバープレート１３４に形成された第１ポンプ面１５８と、第２カバープレート１３６に形成された第２ポンプ面１６０とにそれぞれ係合する。第１トラニオン１５０と第２トラニオン１５２のそれぞれは保持リング１６２を受領する溝部を含む。ポンプ作動時に保持リング１６２は第１カバープレート１３４を第２カバープレート１３６との位置関係で移動させない。
【００３０】
インレット１６６が第２カバープレート１３６に形成され、低圧流体（液体）をロータ構造部１４２との通流状態にする。アウトレット１６８もまた第２カバープレート１３６に形成され、ポンプ１３０から排出される加圧された流体のための通路を提供する。複数の翼部１７０が第２カバープレート１３６上に一体的に形成され、ポンプ１３０からの熱をポンプ作業対象の流体に移動させる。複数の放射状に延びるベント１７１が中間リング１３８内に形成され、ハウジング１３２に流体を通過させてステータ１４６と通流関係にし、ポンプ１３０からの熱を周囲の流体に移動させる補助を提供する。
【００３１】
ロータ構造部１４２はロータ１７４と共に回転するが、ロータ１７４に対して放射状に可動であるように固定された複数のベーン１７２を含む。ベーン１７２の１端は本体１４８の実質円筒状である外面と接触状態にある。第１エラストマ部材１７８と第２エラストマ部材１８０はベーン１７２の両端に外接し、組み合わしたシャフト・中央ベーン支持部１４４にベーンをバイアス係合させる。第１エラストマ部材１７８と第２エラストマ部材１８０は円形断面を有したＯリングとして構築できる。他の形状であっても構わない。
【００３２】
高圧通路１８１はアウトレット１６８をロータ１７４と第１カバープレート１３４との間に形成された第１キャビティ（腔部）１８２並びにロータ１７４と第２カバープレート１３６との間に形成された第２キャビティ１８３とに連結する。第１キャビティ１８２と第２キャビティ１８３内の加圧流体はベーン１７２を本体１４８の方向に付勢する。
【００３３】
ロータ１７４は本体部１８８の両端から軸方向に延びている一対の内側フランジ１８４と１８６を含む。第１カバープレート１３４と第２カバープレート１３６もまたロータ１７４の軸方向移動を規制するために対応して軸方向で延びるフランジ１９０と１９２を含む。ロータ１７４もまた第１外側フランジ１９６と第２外側フランジ１９８とを含む。第１外側フランジ１９６は第１カバープレート１３４上に形成された外側円筒面２０２をオーバーラップする内側円筒面２００を含む。同様に第２外側フランジ１９８の第２内側円筒面２０４は第２カバープレート１３６上に形成された外側円筒面２０６に隣接して設置される。外側円筒面２０６と２０２は軸２１０に沿って互いに整合している。
【００３４】
前述した構成のおかげでロータ１７４は軸２１０の周囲を回転する。本体１４８は軸２１０に対して実質平行状態で離間して延びる長軸２１２を提供する。前述したように、この偏心状態の構成はロータ構造部１４２が回転するときにポンプ作用を提供する。ロータ構造部１４２はまた交互磁極性で互いに離れた状態にてロータ１７４の周囲に提供された複数の永久磁石２１４を含む。永久磁石２１４はステータ１４６に接近して配置されている。
【００３５】
図８から図１０は別実施例による集積型電動ベーンオイルポンプ２５０を図示する。ポンプ２５０は実質的にポンプ１０とポンプ１３０に類似する。従って類似構成要素は同一番号に“ａ”を付して表す。特にポンプ２５０はポンプ１３０のハウジングの特徴部である第１カバープレート１３４ａと、第２カバープレート１３６ａと、中間リング１３８ａとをポンプ１０の内部ポンプ特徴部であるステータ１８ａと、ロータ構造部２４ａと、シャフト２０ａと、中央ベーン支持部２２ａと、ファスナ６４ａおよび７６ａとを組み合わせている。
【００３６】
ポンプ２５０には保持クリップ５２ａと５４ａが提供されているが、エラストマ部材１７８と１８０がポンプ２５０またはポンプ１０においてそれらの代わりに使用できる。同様に二重ファスナ構造部６４と７６、および６４ａと７６ａがポンプ１３０で使用されるピンと保持リング構造部により交換できる。
【００３７】
ポンプ２５０はアウトレット１６８ａを提供する軸方向に延びる突起部２５２を有した第２カバープレート１３６ａを含む。第２カバープレート１３６ａには複数のポケット２５４も形成されており、ポンプ２５０の重量を軽減している。同様なポケット２５６が第１カバープレート１３４ａ内に形成されている。別な突起部２５８が第１カバープレート１３４ａに形成され、インレット１６６ａを提供する。
【００３８】
図１１と図１２はベーン２６と中央ベーン支持部３００との間の間隙を最小化するために特殊形状で提供された外面３０２を有した中央ベーン支持部３００を図示する。前述した実施例のそれぞれは、望むならば図１１と図１２で図示した特殊形状を含むように変更できる。よって中央ベーン支持部２２の外面またはシャフト・中央ベーン支持部１４４の外面は円筒面を提供するように製造されないが、表面３０２の形状を含むように製造できる。形状化された表面３０２の利用を通じて、それぞれのベーン２６の第１端４６は作動時に円筒状のベーン接触面が中央ベーン支持部に形成された場合よりも短い距離を放射状に移動する。
【００３９】
よって保持クリップ５２と５４のごときエラストマ要素はベーン２６の第１端４６の放射位置での比較的に大きな位置相違に対処する必要はない。それぞれのベーン２６の第２端４８と形状化された表面３０２との間のさらに安定した接触圧力が得られる。平面３０２の形状は図１３の式（１）〜（６）で表される。これらの式は計算され、平面３０２を（Ｒ′，Ｂ）のごとくにプロットする。
【００４０】
＜式における符号の説明＞
ｒ＝スライドセンターからロータＯＤ（外径）までの距離
Ｌ＝ベーン長
ｅ＝偏心距離
Ｒｖ＝ベーンリングのＩＤ（内径）半径
Ｐｈｉ＝ロータセンターに対するベーン内径半径の角度
Ｐｓｉ＝スライドセンターに対するベーンの角度
ａ＝偏心線からｒ＋Ｌ線への角度
Ｂ＝ロータセンターからｒｒ線への角度
ｒｒ＝ロータセンターに対する関係で、ベーン半径中心点にまで延びる計算されたロータ形状化平面
ｒｖ＝ベーン半径
Ｒ′＝ベーン半径を考慮してロータセンターに対して是正されたロータ形状化平面（すなわちｒｖによる形状化平面の内側オフセット長）
ｐｉ＝定数＝３．１４
【００４１】
適正なポンプ作業を確実にするため、形状化平面３０２を含んだコンポーネントは、ロータ２４の中心とベーン支持部３００の中心を通るｙ線に対する所定位置にまで回転される。ダウエル、キーまたは他の非対称形状を含む任意の器具が形状化平面３０２の適正な方位性（配向性）を確実に提供するように利用できる。
【００４２】
本発明実施例の前述の説明は本発明の解説のために提供されており、本発明の限定は意図されていない。それら実施例の個々の要素または特徴は必ずしもそれら実施例には限定されず、ここには説明されていない別の実施例においても利用が可能である。それらは様々に変形が可能であり、その変形は本発明の範囲に属し、本明細書の「請求の範囲」に含まれるものである。
【図１】
0005523481.tif 000002
【図２】
0005523481.tif 000003
【図３】
0005523481.tif 000004
【図４】
0005523481.tif 000005
【図５】
0005523481.tif 000006
【図６】
0005523481.tif 000007
【図７】
0005523481.tif 000008
【図８】
0005523481.tif 000009
【図９】
0005523481.tif 000010
【図１０】
0005523481.tif 000011
【図１１】
0005523481.tif 000012
【図１２】
0005523481.tif 000013
【図１３】
0005523481.tif 000014